【事件の表示】
　特願２０１７−　６７２３２「画像処理装置、プロジェクタ装置、画像読取装置、画像処理方法、プログラム」拒絶査定不服審判事件〔平成３０年１１月　１日出願公開、特開２０１８−１７０６６７〕について、次のとおり審決する。
【結　論】
　本件審判の請求は、成り立たない。
【理　由】
第１　手続の経緯
　本願は，平成２９年３月３０日の出願であって，その手続の経緯は以下のとおりである。
　平成３０年　５月２２日付け：拒絶理由通知
　平成３０年　７月２７日　　：意見書，手続補正書の提出
　平成３０年１１月　６日付け：拒絶査定
　平成３１年　２月１２日　　：審判請求書，手続補正書の提出
　令和　１年１２月１０日付け：最後の拒絶理由通知（当審）
　令和　２年　１月３０日　　：意見書，手続補正書の提出
第２　令和２年１月３０日にされた手続補正についての補正の却下の決定
［補正の却下の決定の結論］
　令和２年１月３０日にされた手続補正（以下「本件補正」という。）を却下する。
［理由］
１　本件補正の内容
　本件補正により，平成３１年２月１２日付け手続補正により補正された特許請求の範囲の請求項１（以下，「補正前発明」という。）は，以下のとおり補正された（以下，「本件補正発明」という。）。
　なお，本件補正発明の下線は，補正箇所を示すものとして請求人が付したものである。
（補正前発明）
「　【請求項１】
　プロジェクタ装置へ投影画像の投影を指示した後の投影タイミングにおいて画像読取装置へ撮影指示を行うと共に，前記プロジェクタ装置によって投影面に投影された前記投影画像を撮影する前記画像読取装置が前記投影画像を撮影した撮影画像に基づいて，前記撮影画像中の所望位置と前記投影画像の所望位置との対応関係を補正する補正部を備え，
　前記補正部は，前記投影画像と前記撮影画像との比較に基づいて，前記撮影画像中の所望位置と前記投影画像の所望位置との対応関係を補正し，前記撮影画像において前記投影画像の一部が含まれない場合には，前記前記撮影画像に前記投影画像が含まれるまで前記プロジェクタ装置または前記画像読取装置の何れか一方に光軸方向の変更指示を出力する　画像処理装置。」
（本件補正発明）
「　【請求項１】
　プロジェクタ装置へ投影画像の投影を指示した後の投影タイミングにおいて画像読取装置へ撮影指示を行うと共に，前記プロジェクタ装置によって投影面に投影された前記投影画像
の範囲内の撮影範囲
の範囲内の撮影範囲
の範囲の
範囲の
　前記補正部は，前記投影画像と前記撮影画像との比較に基づいて，
前記投影画像の範囲内における
の範囲の
範囲の
　画像処理装置。」
２　補正の適否
　本件補正は，本件補正前の請求項１に記載された発明を特定するために必要な事項である「前記投影画像を撮影する前記画像読取装置」を「前記投影画像の範囲内の撮影範囲を撮影する前記画像読取装置」と限定し，
　同じく「前記投影画像を撮影した撮影画像」を「前記投影画像の範囲内の撮影範囲を撮影した撮影画像」と限定し，
　同じく「前記撮影画像中の所望位置」を「前記投影画像の範囲内における前記撮影画像の範囲の所望位置」と限定する補正を含むものであって，
　補正前の請求項１に記載された発明と補正後の請求項１に記載される発明の産業上の利用分野及び解決しようとする課題が同一であるから，特許法第１７条の２第５項第２号の特許請求の範囲の減縮を目的とするものに該当する。
　そこで，本件補正後の請求項１に記載される発明（以下「本件補正発明」という。）が特許法第１７条の２第６項において準用する同法第１２６条第７項の規定に適合するか（特許出願の際独立して特許を受けることができるものであるか）について，以下，検討する。
（１）本件補正発明
　本件補正発明は，上記１に記載したとおりのものであるが，以下に再掲する。
　なお，以下の符号Ａ〜Ｆは説明のため当審で付与したものであり，以下，構成Ａ〜構成Ｆと称する。
（Ａ）プロジェクタ装置へ投影画像の投影を指示した後の投影タイミングにおいて画像読取装置へ撮影指示を行うと共に，
（Ｂ１）前記プロジェクタ装置によって投影面に投影された前記投影画像の範囲内の撮影範囲を撮影する前記画像読取装置が
　前記投影画像の範囲内の撮影範囲を撮影した撮影画像に基づいて，
（Ｂ２）前記撮影画像の範囲の所望位置と前記投影画像の範囲の所望位置との対応関係を補正する
（Ｃ）補正部を備え，
（Ｃ）前記補正部は，
（Ｂ３）前記投影画像と前記撮影画像との比較に基づいて，
（Ｂ４）前記投影画像の範囲内における前記撮影画像の範囲の所望位置と前記投影画像の範囲の所望位置との対応関係を補正し，
（Ｄ１）前記撮影画像において前記投影画像の一部が含まれない場合には，前記前記撮影画像に前記投影画像が含まれるまで
（Ｄ２）前記プロジェクタ装置または前記画像読取装置の何れか一方に光軸方向の変更指示を出力する
（Ｅ）画像処理装置。
　なお，構成Ｄ１の「前記撮影画像において前記投影画像の一部が含まれない場合には，前記前記撮影画像に前記投影画像が含まれるまで」は「前記撮影画像において前記投影画像の一部が含まれない場合には，前記撮影画像に前記投影画像が含まれるまで」の明らかな誤記である。
（２）引用文献１の記載及び引用発明
　ア　引用文献１の記載事項
　当審の拒絶理由で引用された，本願出願前に頒布された又は電気通信回線を通じて公衆に利用可能となった引用文献１（特開２０１６−１８７１４５号公報）には，図面と共に次の事項が記載されている。
　なお，下線は強調のために当審で付したものである。
（ア）＜第１実施形態の例１＞
「【００２５】
　＜第１実施形態の例１＞
　図１は，第１実施形態の例１に係るプロジェクター１の使用状況の一例を示す図である。
　第１実施形態の例１では，
プロジェクター１が１台の撮像部１０を備え
（略）
【００３０】
　図１において，
プロジェクター１は，スクリーンＳＣに投写画像Ｐ１を投写し
（略）
【００３２】
　
撮像部１０は，撮像中心を移動させるための移動機構を備え
撮像中心とは
撮像部１０の撮像可能範囲ＣＡの中心を示す
移動機構は
撮像部１０の位置や姿勢を変化させることによって撮像中心を移動する
移動機構が撮像中心を移動することにより，撮像可能領域ＣＡが変更され
（略）
【００３４】
　本実施形態では，撮像部１０が備える移動機構が，撮像部１０を移動させることによって撮像中心を移動する場合について説明する。撮像部１０を移動させるとは，撮像部１０の位置や姿勢（向き）を変更することを示す。なお，撮像部１０が備える移動機構は，他の方法によって撮像中心を移動させる構成であってもよい。
（略）
【００３６】
　概略的には，
プロジェクター１は，投写可能領域ＰＡにパターン画像を投写する
投写したパターン画像を，移動機構１０１により撮像中心を移動しながら撮像部１０により撮像可能領域ＣＡを撮像する
この際，プロジェクター１は，撮像部１０が撮像した撮像画像に占めるパターン画像の割合が所定条件を満たすように移動機構１０１により撮像中心を移動する
そして，プロジェクター１は
投写可能領域ＰＡに投写画像Ｐ１を投写し，当該割合が所定条件を満たす状態で撮像部１０により撮像された投写画像Ｐ１を含む撮像画像に基づいて処理を行う
【００３７】
　
これにより，プロジェクター１は，投写画像Ｐ１の状態に応じて適した撮像画像に基づく処理を行うことができ
なお，投写画像Ｐ１の状態は，投写画像Ｐ１の全体が撮像可能領域ＣＡの内側に含まれている状態と，投写画像Ｐ１の全体が撮像可能領域ＣＡの内側に含まれていない状態のいずれかによって表され
また，適した撮像画像とは
投写画像Ｐ１の状態に応じて適した画像に基づく処理とは，例えば，画質調整や，スクリーンフィット（枠補正），自動台形補正，インタラクティブ操作に係る処理等である
」
（イ）＜プロジェクター１の構成＞
「【００４４】
　次に，図４を参照して，第１実施形態の例１に係るプロジェクター１の構成について説明する。図４は，第１実施形態の例１に係るプロジェクター１の構成例を示す図である。
プロジェクター１は，撮像部１０と，記憶部１２と，入力受付部１３と，制御部１６と，光源制御部１７と，光源１８と，光変調装置１９と，レンズ部２０と，画像入力部２１と，画像処理部２２と，ＯＳＤ（On　Screen　Display）処理部２３と，光変調装置駆動部２４と，加速度センサー２５を備え
【００４５】
　撮像部１０は，例えば，集光された光を電気信号に変換する撮像素子であるＣＣＤ（Charge　Coupled　Device）やＣＭＯＳ（Complementary　Metal　Oxide　Semiconductor）等を備えたカメラである。また，
撮像部１０は，移動機構１０１を内蔵する
移動機構１０１は，制御部１６からの要求に応じて，撮像部１０を移動することにより，撮像中心を移動する
（略）
【００４７】
　
制御部１６は，プロジェクター１の全体を制御する
また，制御部１６は，撮像部１０が撮像した撮像画像を撮像部１０から取得する
（略）
【００４９】
　
制御部１６が備える撮像制御部１６１と，撮像中心移動制御部１６３と，評価値検出部１６５と，判定部１６７は，連携して撮像位置設定処理を行う
　
撮像制御部１６１は，撮像部１０に撮像可能領域ＣＡを撮像させる
（ウ）「図４」
（エ）＜制御部１６が行う撮像位置設定処理＞
「【００５７】
　次に，図５を参照して，制御部１６が行う撮像位置設定処理について説明する。図５は，
制御部１６が行う撮像位置設定処理
　まず，プロジェクター１は，
入力受付部１３から受け付けられたユーザーからの操作に基づいて，スクリーンＳＣ上の投写可能領域ＰＡ内のユーザーが所望する位置にパターン画像を投写する（ステップＳ１００）
【００５８】
　次に，
撮像制御部１６１は，撮像部１０に撮像可能領域ＣＡを撮像させ
（ステップＳ１１０）
そして，制御部１６は，撮像部１０から撮像画像を取得する
次に，判定部１６７は，ステップＳ１１０において撮像部１０から取得した撮像画像にパターン画像の少なくとも一部が撮像されているか否かを判定する（ステップＳ１２０）
【００５９】
　
撮像画像にパターン画像の少なくとも一部が撮像されていないと
判定した場合（ステップＳ１２０−Ｎｏ），撮像中心移動制御部１６３は，移動機構１０１により撮像中心を所定方向に所定移動量だけ移動させ
（ステップＳ１３０）
その後，撮像制御部１６１は
ステップＳ１１０
撮像可能領域ＣＡを撮像部１０に撮像させ
（略）
【００６１】
　従って，
撮像中心移動制御部１６３は，移動機構１０１により撮像中心を所定方向の移動可能な限界点にまで移動させてもパターン画像の一部が撮像されない場合，移動機構１０１により撮像中心を所定方向とは異なる他の方向に移動させ
このような移動と撮像を繰り返すことにより，制御部１６は，撮像画像にパターン画像の一部が撮像されるまで撮像中心を移動させ
（略）
【００６４】
　
ステップＳ１２０において，撮像画像にパターン画像の少なくとも一部が撮像されていると判定部１６７が判定した場合，評価値検出部１６５は，ステップＳ１１０において撮像部１０から取得した撮像画像に基づいて評価値を検出する（ステップＳ１４０）
（略）
【００６７】
　
次に，判定部１６７は，ステップＳ１４０において評価値検出部１６５が検出した評価値が所定条件を満たすか否かを判定する（ステップＳ１５０）
評価値が所定条件を満たさないと判定した場合（ステップＳ１５０−Ｎｏ），撮像中心移動制御部１６３は，移動機構１０１に撮像中心を移動させる（ステップＳ１６０）
（略）
【００７０】
　
ステップＳ１６０の処理において撮像中心を移動させた後，撮像制御部１６１は，撮像可能領域ＣＡを撮像部１０に撮像させる（ステップＳ。１７０）
そして，制御部１６は，撮像部１０から撮像画像を取得する
ステップＳ１７０における処理の後，評価値検出部１６５は，ステップＳ１４０に遷移し，ステップＳ１７０において撮像部１０から取得した撮像画像に基づいて評価値を再び検出する
【００７１】
　
一方，評価値が所定条件を満たすと判定部１６７が判定した場合（ステップＳ１５０−Ｙｅｓ），制御部１６は，ステップＳ１４０からステップＳ１７０までの評価値反復検出処理を終了し，ステップＳ１８０に遷移する
評価値が所定条件を満たすと判定部１６７が判定した場合，撮像中心移動制御部１６３は，ステップＳ１４０において評価値検出部１６５が検出した１以上の評価値に基づいて，撮像中心を設定する位置を決定する
そして，撮像中心移動制御部１６３は，決定した位置に撮像中心を設定するように移動機構１０１を制御する（ステップＳ１８０）
【００７２】
　ここで，撮像中心移動制御部１６３が撮像中心を設定する位置を決定する処理について説明する。
撮像中心移動制御部１６３は，ステップＳ１４０において評価値検出部１６５が検出した１以上の評価値に基づいて，撮像画像に占めるパターン画像の割合が所定値以上となる撮像画像が撮像された撮像中心の位置を特定する
そして，撮像中心移動制御部１６３は，特定した撮像中心の位置を，撮像中心を設定する位置として決定する
所定値は，撮像画像に占めるパターン画像の割合が所定値以上の場合に，パターン画像や投写画像Ｐ１等のプロジェクター１により投写された投写画像の全体が撮像可能領域ＣＡに含まれるように予め決められる
【００７３】
　
このようにステップＳ１００からステップＳ１８０までの処理によって，プロジェクター１は，評価値反復検出処理により検出された１以上の評価値に基づいて撮像画像に占めるパターン画像の割合が所定条件を満たす状態を実現することができ
そして，プロジェクター１は，撮像部１０により撮像可能領域ＣＡを撮像することにより，撮像画像に占める投写画像Ｐ１の割合を，所定条件を満たす状態にすることができ
プロジェクター１は，撮像された投写画像Ｐ１に基づいて，投写画像Ｐ１の状態に応じて適した画像に基づく処理を行うことができ
（略）
【００８８】
　なお，
撮像中心移動制御部１６３は，撮像中心の位置毎に撮像部１０が撮像した撮像画像のそれぞれからパターンマッチングによって，各撮像画像に占めるパターン画像の割合を検出し，検出した当該割合が所定値以上である撮像画像を検出する構成であって
（オ）「図５」
（カ）＜第３実施形態＞
「【０１７４】
　＜第３実施形態＞
　以下，本発明の第３実施形態について図面を参照して説明する。図２３は，第３実施形態に係るプロジェクター１により投写画像Ｐ１２が投写されているスクリーンＳＣの一例を示す図である。プロジェクター１は，レンズシフト機能によりユーザーが所望する位置に投写画像Ｐ１２を投写する。また，プロジェクター１は，投写可能領域ＰＡ内に投写画像Ｐ１２を投写する。図２３において，点線に囲まれた領域は，撮像部１０による撮像可能領域ＣＡを示す。ここで，第３実施形態に係る
プロジェクター１が備える撮像部１０は
投写可能領域ＰＡの全体を含む領域を撮像可能な広角レンズを撮像レンズとして備え
（略）
【０１７９】
　次に，図２６を参照して，第３実施形態に係るプロジェクター１の構成について説明する。図２６は，第３実施形態に係るプロジェクター１の構成例を示す図である。プロジェクター１は，記憶部１２と，入力受付部１３と，制御部１６ｄと，光源制御部１７と，光源１８と，光変調装置１９と，レンズ部２０と，画像入力部２１と，画像処理部２２と，ＯＳＤ処理部２３と，光変調装置駆動部２４と，撮像部１００を備える。なお，第３実施形態では，第１実施形態と同様な構成部には，同じ符号を付して説明を省略する。
【０１８０】
　
制御部１６ｄは
撮像画像処理部１６６と，処理領域画像取得部１６８を備え
撮像画像処理部１６６は
投写条件と，撮像部１００から取得した撮像画像とに基づいて，処理領域画像を生成する
処理領域画像取得部１６８は，撮像画像処理部１６６が生成した処理領域画像を取得する
（略）
【０１８６】
　処理領域画像取得部１６８は，ステップＳ８５０において撮像画像処理部１６６が生成した処理領域画像を撮像画像処理部１６６から取得する。
そして，処理領域画像取得部１６８は，取得した処理領域画像を記憶部１２に記憶させ
（ステップＳ８６０）
　このように，ステップＳ８００からステップＳ８６０までの処理によって，制御部１６ｄは，処理領域画像を記憶部１２に記憶させる。
その結果，制御部１６ｄは，記憶部１２に記憶された処理領域画像に基づく処理を行うことができ
なお，処理領域画像は，第１実施形態において説明した，適した撮像画像の一例である
（略）
【０１８８】
　また，
撮像画像処理部１６６は，制御部１６ｄが備える構成に代えて，撮像部１０が備える構成であってもよい
その場合，ステップＳ８５０における処理は，撮像部１０により行われ
また，処理領域画像取得部１６８は，撮像部１０が生成した処理領域画像を取得する
（キ）＜第３実施形態の最低限必要となる領域＞
「【０１９４】
　上記の第３実施形態では，
処理領域画像Ｐ１４に，少なくとも投写画像Ｐ１２の全体が含まれるようにしているが，撮像画像に基づく処理（画質調整等）に最低限必要となる領域が含まれていれば，投写画像Ｐ１２の全体が含まれていなくてもよい
処理領域画像Ｐ１４は，制御部１６ｄに入力可能な解像度以内で，撮像画像に基づく処理（画質調整等）に最低限必要となる領域を含む所定サイズの画像としてもよい
（略）
【０１９６】
　上記の第３実施形態に代えて，
制御部１６ｄが，取得した投写条件に基づいて処理領域を特定した後，撮像部１００が撮像した撮像画像のうち処理領域に含まれる画像のみを出力するよう撮像部１００を制御するようにしてもよい
この場合，制御部１６ｄは，撮像部１００から取得した画像を処理領域画像として記憶部１２に記憶させ，記憶させた処理領域画像に対して画質調整等の処理を行う
（ク）「図２５」＜プロジェクター１が取得する処理領域画像＞
　イ　引用発明
　引用文献１に記載されている事項について検討する。
（ア）上記ア（ア）〜（オ）には，第１実施形態の例１に係るプロジェクター１が記載され，上記ア（カ）及び（キ）には，第３実施形態が記載されている。
　そして，上記ア（カ）の段落０１７４に「第３実施形態に係るプロジェクター１が備える撮像部１０は，図１に示したように，投写可能領域ＰＡの全体を含む領域を撮像可能な広角レンズを撮像レンズとして備える場合について説明する。」，
　同段落０１７９に「第３実施形態では，第１実施形態と同様な構成部には，同じ符号を付して説明を省略する。」と記載されていることから，
　引用文献１に記載されている事項として，第１実施形態の例１の構成及び処理内容を加えて第３実施形態に記載されている制御部１６ｄに係る事項を認定する。
（イ）まとめ
　そうすると，上記ア（ア）〜（ク）に摘記した引用文献１の記載事項から，引用文献１には，次の発明（以下，「引用発明」という。）が記載されていると認められる。
　なお，引用発明の各構成を，それぞれに付した符号（ａ）〜（ｋ）により，以下，構成ａ〜構成ｋと称する。
（引用発明）
（ａ）プロジェクター１が１台の撮像部１０を備え，プロジェクター１は，スクリーンＳＣに投写画像Ｐ１を投写し，撮像部１０は，撮像中心を移動させるための移動機構を備え，撮像中心とは，撮像部１０の撮像可能範囲ＣＡの中心を示し，移動機構は，撮像部１０の位置や姿勢を変化させることによって撮像中心を移動し，移動機構が撮像中心を移動することにより，撮像可能領域ＣＡが変更され，
（ｂ）プロジェクター１は，投写可能領域ＰＡにパターン画像を投写し，投写したパターン画像を，移動機構１０１により撮像中心を移動しながら撮像部１０により撮像可能領域ＣＡを撮像し，この際，プロジェクター１は，撮像部１０が撮像した撮像画像に占めるパターン画像の割合が所定条件を満たすように移動機構１０１により撮像中心を移動し，
　そして，プロジェクター１は，投写可能領域ＰＡに投写画像Ｐ１を投写し，当該割合が所定条件を満たす状態で撮像部１０により撮像された投写画像Ｐ１を含む撮像画像に基づいて処理を行い，
（ｃ）これにより，プロジェクター１は，投写画像Ｐ１の状態に応じて適した撮像画像に基づく処理を行うことができ，なお，投写画像Ｐ１の状態は，投写画像Ｐ１の全体が撮像可能領域ＣＡの内側に含まれている状態と，投写画像Ｐ１の全体が撮像可能領域ＣＡの内側に含まれていない状態のいずれかによって表され，また，適した撮像画像とは，投写画像Ｐ１の全体が含まれた撮像画像を示し，投写画像Ｐ１の状態に応じて適した画像に基づく処理とは，例えば，画質調整や，スクリーンフィット（枠補正），自動台形補正，インタラクティブ操作に係る処理等であり，
（ｄ）プロジェクター１は，撮像部１０と，記憶部１２と，入力受付部１３と，制御部１６と，光源制御部１７と，光源１８と，光変調装置１９と，レンズ部２０と，画像入力部２１と，画像処理部２２と，ＯＳＤ（On　Screen　Display）処理部２３と，光変調装置駆動部２４と，加速度センサー２５を備え，
（ｅ）撮像部１０は，移動機構１０１を内蔵し，移動機構１０１は，制御部１６からの要求に応じて，撮像部１０を移動することにより，撮像中心を移動し，
（ｆ）制御部１６は，プロジェクター１の全体を制御し，また，制御部１６は，撮像部１０が撮像した撮像画像を撮像部１０から取得し，
　制御部１６が備える撮像制御部１６１と，撮像中心移動制御部１６３と，評価値検出部１６５と，判定部１６７は，連携して撮像位置設定処理を行い，
　撮像制御部１６１は，撮像部１０に撮像可能領域ＣＡを撮像させるものであり，
（ｇ）制御部１６が行う撮像位置設定処理は，以下のステップを含み，
（ｇ１）入力受付部１３から受け付けられたユーザーからの操作に基づいて，スクリーンＳＣ上の投写可能領域ＰＡ内のユーザーが所望する位置にパターン画像を投写し（ステップＳ１００），
（ｇ２）撮像制御部１６１は，撮像部１０に撮像可能領域ＣＡを撮像させ，そして，制御部１６は，撮像部１０から撮像画像を取得し（ステップＳ１１０），
（ｇ３）次に，判定部１６７は，ステップＳ１１０において撮像部１０から取得した撮像画像にパターン画像の少なくとも一部が撮像されているか否かを判定し（ステップＳ１２０），
（ｇ４）撮像画像にパターン画像の少なくとも一部が撮像されていないと判定した場合（ステップＳ１２０−Ｎｏ），撮像中心移動制御部１６３は，移動機構１０１により撮像中心を所定方向に所定移動量だけ移動させ（ステップＳ１３０），その後，撮像制御部１６１は，撮像可能領域ＣＡを撮像部１０に撮像させ（ステップＳ１１０），
（ｇ５）撮像中心移動制御部１６３は，移動機構１０１により撮像中心を所定方向の移動可能な限界点にまで移動させてもパターン画像の一部が撮像されない場合，移動機構１０１により撮像中心を所定方向とは異なる他の方向に移動させ，このような移動と撮像を繰り返すことにより，制御部１６は，撮像画像にパターン画像の一部が撮像されるまで撮像中心を移動させ，
（ｇ６）ステップＳ１２０において，撮像画像にパターン画像の少なくとも一部が撮像されていると判定部１６７が判定した場合，評価値検出部１６５は，ステップＳ１１０において撮像部１０から取得した撮像画像に基づいて評価値を検出し（ステップＳ１４０），
（ｇ７）次に，判定部１６７は，ステップＳ１４０において評価値検出部１６５が検出した評価値が所定条件を満たすか否かを判定し（ステップＳ１５０），評価値が所定条件を満たさないと判定した場合（ステップＳ１５０−Ｎｏ），撮像中心移動制御部１６３は移動機構１０１に撮像中心を移動させ（ステップＳ１６０），
（ｇ８）ステップＳ１６０の処理において撮像中心を移動させた後，撮像制御部１６１は，撮像可能領域ＣＡを撮像部１０に撮像させ（ステップＳ１７０），そして，制御部１６は，撮像部１０から撮像画像を取得し，ステップＳ１７０における処理の後，評価値検出部１６５は，ステップＳ１４０に遷移し，ステップＳ１７０において撮像部１０から取得した撮像画像に基づいて評価値を再び検出し（ステップＳ１４０），
（ｇ１０）一方，評価値が所定条件を満たすと判定部１６７が判定した場合（ステップＳ１５０−Ｙｅｓ），制御部１６は，ステップＳ１４０からステップＳ１７０までの評価値反復検出処理を終了し，ステップＳ１８０に遷移し，評価値が所定条件を満たすと判定部１６７が判定した場合，撮像中心移動制御部１６３は，ステップＳ１４０において評価値検出部１６５が検出した１以上の評価値に基づいて，撮像中心を設定する位置を決定し，そして，撮像中心移動制御部１６３は，決定した位置に撮像中心を設定するように移動機構１０１を制御し（ステップＳ１８０），
（ｇ１１）撮像中心移動制御部１６３は，ステップＳ１４０において評価値検出部１６５が検出した１以上の評価値に基づいて，撮像画像に占めるパターン画像の割合が所定値以上となる撮像画像が撮像された撮像中心の位置を特定し，そして，撮像中心移動制御部１６３は，特定した撮像中心の位置を，撮像中心を設定する位置として決定し，所定値は，撮像画像に占めるパターン画像の割合が所定値以上の場合に，パターン画像や投写画像Ｐ１等のプロジェクター１により投写された投写画像の全体が撮像可能領域ＣＡに含まれるように予め決められるものであり，
（ｇ１２）このようにステップＳ１００からステップＳ１８０までの処理によって，プロジェクター１は，評価値反復検出処理により検出された１以上の評価値に基づいて撮像画像に占めるパターン画像の割合が所定条件を満たす状態を実現することができ，そして，プロジェクター１は，撮像部１０により撮像可能領域ＣＡを撮像することにより，撮像画像に占める投写画像Ｐ１の割合を，所定条件を満たす状態にすることができ，プロジェクター１は，撮像された投写画像Ｐ１に基づいて，投写画像Ｐ１の状態に応じて適した画像に基づく処理を行うことができ，
（ｇ１３）撮像中心移動制御部１６３は，撮像中心の位置毎に撮像部１０が撮像した撮像画像のそれぞれからパターンマッチングによって，各撮像画像に占めるパターン画像の割合を検出し，検出した当該割合が所定値以上である撮像画像を検出する構成であって
（ｈ）プロジェクター１が備える撮像部１０は，投写可能領域ＰＡの全体を含む領域を撮像可能な広角レンズを撮像レンズとして備え，
（ｉ）制御部１６ｄは，撮像画像処理部１６６と，処理領域画像取得部１６８を備え，撮像画像処理部１６６は，投写条件と，撮像部１００から取得した撮像画像とに基づいて，処理領域画像を生成し，処理領域画像取得部１６８は，撮像画像処理部１６６が生成した処理領域画像を取得し，そして，処理領域画像取得部１６８は，取得した処理領域画像を記憶部１２に記憶させ（ステップＳ８６０），その結果，制御部１６ｄは，記憶部１２に記憶された処理領域画像に基づく処理を行うことができ，なお，処理領域画像は，適した撮像画像の一例であり，
（ｊ）撮像画像処理部１６６は，制御部１６ｄが備える構成に代えて，撮像部１０が備える構成であってもよく，その場合，ステップＳ８５０における処理は，撮像部１０により行われ，また，処理領域画像取得部１６８は，撮像部１０が生成した処理領域画像を取得し，
（ｋ）処理領域画像Ｐ１４に，少なくとも投写画像Ｐ１２の全体が含まれるようにしているが，撮像画像に基づく処理（画質調整等）に最低限必要となる領域が含まれていれば，投写画像Ｐ１２の全体が含まれていなくてもよく，処理領域画像Ｐ１４は，制御部１６ｄに入力可能な解像度以内で，撮像画像に基づく処理（画質調整等）に最低限必要となる領域を含む所定サイズの画像としてもよく，
　制御部１６ｄが，取得した投写条件に基づいて処理領域を特定した後，撮像部１００が撮像した撮像画像のうち処理領域に含まれる画像のみを出力するよう撮像部１００を制御するようにしてもよく，この場合，制御部１６ｄは，撮像部１００から取得した画像を処理領域画像として記憶部１２に記憶させ，記憶させた処理領域画像に対して画質調整等の処理を行う，
（ｆ）制御部１６。
（３）引用文献２の記載及び技術
　ア　引用文献２の記載事項
　当審の拒絶理由で引用された，本願出願前に頒布された又は電気通信回線を通じて公衆に利用可能となった引用文献２（特開２０１４−２０３１７４号公報）には，図面と共に次の事項が記載されている。
　なお，下線は強調のために当審で付したものである。
（ア）「【００１０】
［情報操作表示システムの構成］
　図１は，情報操作表示システムの全体の概略構成の一例を示す図である。図１に示すように，
情報操作表示システム
カメラ
と
プロジェクタ（表示装置）
と
情報処理装置
とを有する
　
（イ）「【００１４】
　また，情報操作表示システム１００では，
あらかじめカメラ
の認識座標系とプロジェクタ
の表示座標系の間の位置合わせ（キャリブレーション）を行う
プロジェクタ
の出力画像をカメラ
【００１５】
　はじめに，情報操作表示システム１００では，
プロジェクタ
の表示座標系において
ある任意の座標値
にマーカを表示させ
カメラ
投影面に投影させた状況を撮影する
情報処理装置
は
マーカを画像処理手法によって読み取る
読み取った際の座標値
【００１６】
　情報処理装置１０は，上記したマーカを読み取る処理を任意の場所で４点分繰り返す。そして，
情報処理装置
は
から
カメラ座標平面とプロジェクタ座標平面との対応付けを求める
　イ　引用文献２記載技術
　上記アの記載から，引用文献２には，次の技術が記載されている。
（引用文献２記載技術）
　カメラとプロジェクタ（表示装置）と情報処理装置とを有する情報操作表示システムにおいて，
　あらかじめカメラの認識座標系とプロジェクタの表示座標系の間の位置合わせ（キャリブレーション）を行うものであって，プロジェクタの出力画像をカメラで読み取ることで，システム内部でキャリブレーションを実行する技術であって，
　プロジェクタの表示座標系においてある任意の座標値にマーカを表示させ，
　カメラが投影面に投影させた状況を撮影し，情報処理装置はマーカを画像処理手法によって読み取り，
　情報処理装置は，読み取った際の座標値からカメラ座標平面とプロジェクタ座標平面との対応付けを求める技術。
（４）対比
　本件補正発明と引用発明とを対比する。
（ア）「プロジェクタ装置」，「投写可能領域ＰＡ」，「画像読取装置」及び「画像処理装置」について
　引用発明の「プロジェクター１」，「投写可能領域ＰＡ」，「撮像部１０」はそれぞれ，本件補正発明の「プロジェクタ装置」，「投影面」，「画像読取装置」に相当する。
　引用発明の「制御部１６ｄ」は，プロジェクター１及び撮像部１０を制御している点で，本件補正発明の「画像処理装置」に相当する。
（イ）「投影画像」，「撮影画像」について
　構成ｂ及び構成ｇのプロジェクター１が投写可能領域ＰＡに投写する「パターン画像」は，本件補正発明のプロジェクタ装置が投影面に投影する「投影画像」に相当する。
　構成ａ〜構成ｇの撮像部１０が撮像した「撮像画像」は，本件補正発明の画像読取装置が撮影した画像である点で「撮影画像」と共通する。
　また，構成ａ〜構成ｇの撮像部１０が撮像する「撮像可能領域ＣＡ」は，本件補正発明の画像読取装置が撮影する範囲である点で「撮影範囲」と共通する。
　しかしながら，「撮影画像」について，
　本件補正発明は，「投影画像の範囲内の撮影範囲を撮影した撮影画像」であるのに対して，
　引用発明は，撮像可能領域ＣＡの内側に含まれている画像である点，即ち，「投影画像の範囲内の撮影範囲を撮影した撮影画像」でない点で相違する（相違点１）。
（ウ）構成Ａについて
　構成ｆに記載のとおり，引用発明の「制御部１６は，プロジェクター１の全体を制御」するから，構成ｇ１の「パターン画像を投写する」は，引用発明の制御部１６の指示による処理といえる。
　よって，構成ｇ１は構成Ａの「プロジェクタ装置へ投影画像の投影を指示した」に相当する。
　そして，構成ｇ２の「撮像部１０に撮像可能領域ＣＡを撮像させ」は，制御部１６が備える撮像制御部１６１が撮像させることであるから，構成ｇ２は制御部１６が「プロジェクタ装置へ投影画像の投影を指示した後の投影タイミングにおいて画像読取装置へ撮影指示を行う」といえる。
　よって，構成ｇ２は構成Ａに相当する。
（エ）構成Ｃについて
　構成ｇの「制御部１６が行う撮像位置設定処理」は，撮像中心を移動するものであるから，撮像位置を補正するものといえる。
　よって，構成ｇの撮像位置設定処理を行う「制御部１６」は，撮像位置を補正するものとして構成Ｃの「補正部」に相当する。
（オ）構成Ｂ１〜構成Ｂ４について
　上記（ウ）及び（エ）のとおり，引用発明は，構成Ａ及び構成Ｃに対応する補正部を備えている。
　しかしながら，「補正部」について，本件補正発明は，上記（イ）の相違点１を除いて，
「（Ｂ１）前記プロジェクタ装置によって投影面に投影された前記投影画像の撮影範囲を撮影する前記画像読取装置が前記投影画像の撮影範囲を撮影した撮影画像に基づいて，
（Ｂ２）前記撮影画像の範囲の所望位置と前記投影画像の範囲の所望位置との対応関係を補正する」，及び，
「（Ｂ３）前記投影画像と前記撮影画像との比較に基づいて，
（Ｂ４）前記撮影画像の範囲の所望位置と前記投影画像の範囲の所望位置との対応関係を補正」するのに対し，引用発明は，そのような構成を備えていない点で相違している（相違点２）。
（カ）構成Ｄ１及び構成Ｄ２について
　構成ｇの「撮影画像」に基づく撮像位置設定処理は，構成ｇ４において，撮像画像にパターン画像の少なくとも一部が撮像されていないと判定した場合には，構成ｇ４の「撮像中心を所定方向に所定移動量だけ移動させ」，構成ｇ５〜構成１０の処理を行って，パターン画像の全体が撮像可能領域ＣＡに含まれるようにするものであるから，
　「前記撮影画像において前記投影画像の一部が含まれない場合には，前記撮影画像に前記投影画像が含まれるまで」撮像中心を移動させるといえる。
　よって，構成ｇは，構成Ｄ１と，「前記撮影画像において前記投影画像の一部が含まれない場合には，前記撮影画像に前記投影画像が含まれるまで」，前記撮影画像に前記投影画像が含まれるようにするための処理を実行する点で一致する。
　構成ｇ４及び構成ｇ７の「移動機構１０１」に「撮像中心を移動させる」ことは，構成Ｄ２の「前記画像読取装置」に「光軸方向」を変更させる指示を出力することに相当する。
　また，構成Ｄ２の発明特定事項の「前記プロジェクタ装置または前記画像読取装置の何れか一方に」は，「プロジェクタ装置」の選択肢と「画像読取装置」の選択肢を含む選択的記載であるから，構成Ｄ２の「画像読取装置」の選択肢を発明特定事項として，引用発明と対比する。
　そうすると，構成ｇの「移動機構１０１」に「撮像中心を移動させる」ことと構成Ｄ２とは，「前記画像読取装置に光軸方向の変更指示を出力する」点で一致する。
（キ）以上の検討から，引用発明と本件補正発明とは以下の点で一致し，また，相違する。
［一致点］
（Ａ）プロジェクタ装置へ投影画像の投影を指示した後の投影タイミングにおいて画像読取装置へ撮影指示を行う
（Ｃ）補正部を備え，
（Ｃ）前記補正部は，
（Ｄ１）前記撮影画像において前記投影画像の一部が含まれない場合には，前記撮影画像に前記投影画像が含まれるまで
（Ｄ２）前記画像読取装置に光軸方向の変更指示を出力する
（Ｅ）画像処理装置。
［相違点１］
　「撮影画像」について，
　本件補正発明は，「投影画像の範囲内の撮影範囲を撮影した撮影画像」であるのに対して，
　引用発明は，「投影画像の範囲内の撮影範囲を撮影した撮影画像」でない点
［相違点２］
　「補正部」について，本件補正発明は，
「（Ｂ１）前記プロジェクタ装置によって投影面に投影された前記投影画像の撮影範囲を撮影する前記画像読取装置が前記投影画像の撮影範囲を撮影した撮影画像に基づいて，
（Ｂ２）前記撮影画像の範囲の所望位置と前記投影画像の範囲の所望位置との対応関係を補正する」，及び，
「（Ｂ３）前記投影画像と前記撮影画像との比較に基づいて，
（Ｂ４）前記撮影画像の範囲の所望位置と前記投影画像の範囲の所望位置との対応関係を補正」するのに対し，引用発明は，そのような構成を備えていない点
（５）判断
　上記相違点について検討する。
　ア　相違点１について
　構成ｉの「処理領域画像」は「適した撮像画像」であるから，構成ｃ及び構成ｇ１２の画質調整等である「適した画像に基づく処理」に用いられる画像である。
　また，構成ｊのとおり，処理領域画像を生成する撮像画像処理部１６６は，撮像部１０が備え，処理領域画像取得部１６８は，撮像部１０が生成した処理領域画像を取得する構成である。
　ここで，構成ｋに「処理領域画像Ｐ１４は，制御部１６ｄに入力可能な解像度以内で，撮像画像に基づく処理（画質調整等）に最低限必要となる領域を含む所定サイズの画像としてもよく」と示唆があるから，引用発明において，撮像部１０が生成する「処理領域画像」を「投写画像全体のうちの処理に最低限必要となる領域」，すなわち，「投写画像の範囲内の撮影範囲」とすることは，当業者が容易に想到し得たことである。
　したがって，引用発明の「撮影画像」について，「投影画像の範囲内の撮影範囲を撮影した撮影画像」とするように構成することは，当業者が容易に想到し得たことである。
　イ　相違点２について
　上記（３）イの引用文献２記載技術の「カメラ」，「プロジェクタ（表示装置）」，「情報処理装置」，「プロジェクタの出力画像」及び「カメラが投影面に投影された状況を撮影する」は，それぞれ，本件補正発明の「画像読取装置」，「プロジェクタ装置」，「画像処理装置」，「投影画像」及び「投影面に投影された投影画像を撮影する」ことに相当する。
　また，引用文献２記載技術における「「認識座標系」の「座標値」」，「「表示座標系」の「座標値」」及び「カメラ座標平面とプロジェクタ座標平面との対応付け」は，それぞれ，本件補正発明の「撮影画像の範囲の所望位置」，「投影画像の範囲の所望位置」及び「撮影画像の範囲の所望位置と投影画像の範囲の所望位置との対応関係」に相当する。
　また，引用文献２記載技術における「マーカを画像処理手法によって読み取り，・・・読み取った際の座標値からカメラ座標平面とプロジェクタ座標平面との対応付けを求め」，「カメラの認識座標系とプロジェクタの表示座標系の間の位置合わせ（キャリブレーション）を行う」ことは，本件補正発明の「投影画像と撮影画像との比較に基づいて」，「撮影画像の範囲の所望位置と投影画像の範囲の所望位置との対応関係を補正する」ことに相当する。
　そして，引用発明と引用文献２記載技術とは，ともに投写画像を撮像して投写画像と撮像画像の位置関係を補正する技術である点で一致しているから，引用発明の「適した画像に基づく処理」として，引用文献２記載技術を組み合わせることは，当業者が容易に想到し得たことである。
　したがって，引用発明に，引用文献２記載技術を組み合わせて，「補正部」を，「（Ｂ１）前記プロジェクタ装置によって投影面に投影された前記投影画像の撮影範囲を撮影する前記画像読取装置が前記投影画像の撮影範囲を撮影した撮影画像に基づいて，
（Ｂ２）前記撮影画像の範囲の所望位置と前記投影画像の範囲の所望位置との対応関係を補正する」，及び，
「（Ｂ３）前記投影画像と前記撮影画像との比較に基づいて，
（Ｂ４）前記撮影画像の範囲の所望位置と前記投影画像の範囲の所望位置との対応関係を補正」するように構成することは，当業者が容易に想到し得たことである。
　
　ウ　そして，上記相違点を総合的に勘案しても，本件補正発明の奏する作用効果は，引用発明及び引用文献２記載技術の奏する作用効果から予測される範囲内のものにすぎず，格別顕著なものということはできない。
　
　エ　したがって，本件補正発明は，引用発明及び引用文献２記載技術に基づいて，当業者が容易に発明をすることができたものであり，特許法第２９条第２項の規定により，特許出願の際独立して特許を受けることができないものである。
３　本件補正についてのむすび
　よって，本件補正は，特許法第１７条の２第６項において準用する同法第１２６条第７項の規定に違反するので，同法第１５９条第１項の規定において読み替えて準用する同法第５３条第１項の規定により却下すべきものである。
　よって，上記補正の却下の決定の結論のとおり決定する。
第３　本願発明について
１　本願発明
　令和２年１月３０日にされた手続補正は，上記のとおり却下されたので，本願の請求項に係る発明は，平成３１年２月１２日にされた手続補正により補正された特許請求の範囲の請求項１〜７に記載された事項により特定されるものであるところ，その請求項１に係る発明（以下「本願発明」という。）は，その請求項１に記載された事項により特定される，前記第２［理由］１の「（補正前発明）」に記載のとおりのものである。
２　令和１年１２月１０日付けの当審の拒絶理由
　令和１年１２月１０日付けで通知した本願発明に対する当審の拒絶理由は，この出願の請求項１に係る発明は，本願の出願前に頒布された又は電気通信回線を通じて公衆に利用可能となった下記の引用文献１に記載された発明と引用文献２に記載された事項に基づいて，その出願前にその発明の属する技術の分野における通常の知識を有する者が容易に発明をすることができたものであるから，特許法第２９条第２項の規定により特許を受けることができない，というものである。
引用文献１：特開２０１６−１８７１４５号公報
引用文献２：特開２０１４−２０３１７４号公報
３　引用文献
　当審の拒絶の理由で引用された引用文献１，２及びその記載事項は，前記第２［理由］２の（２），（３）に記載したとおりである。
　
４　対比・判断
　本願発明は，前記第２の［理由］２で検討した本件補正発明から，「前記投影画像を撮影する前記画像読取装置」を「前記投影画像の範囲内の撮影範囲を撮影する前記画像読取装置」とする限定事項，「前記投影画像を撮影した撮影画像」を「前記投影画像の範囲内の撮影範囲を撮影した撮影画像」とする限定事項，及び「前記撮影画像中の所望位置」を「前記投影画像の範囲内における前記撮影画像の範囲の所望位置」とする限定事項を削除したものである。
　そうすると，本願発明の発明特定事項を全て含み，さらに他の事項を付加したものに相当する本件補正発明が，前記第２［理由］２の（３），（４）に記載したとおり，引用発明及び引用文献２記載技術に基づいて，当業者が容易に発明をすることができたものであるから，本願発明も，引用発明及び引用文献２記載技術に基づいて，当業者が容易に発明をすることができたものである。
　
第４　むすび
　以上のとおり，本願発明は，特許法第２９条２項の規定により特許を受けることができないから，他の請求項に係る発明について検討するまでもなく，本願は拒絶されるべきものである。
　よって，結論のとおり審決する。